(57)【要約】【課題】  貯水部が空焚きで高温の状態に晒されることを防止可能なミスト発生装置を提供する。【解決手段】  運転スイッチ５６を操作してミスト発生装置の運転を開始してから運転の停止信号が出力されたら、切替手段６３によって加熱ヒータ９等をＯＦＦ状態に切り替えてから所定時間経過した後に排水弁１３を開放するので、運転の停止信号が出力された時に加熱ヒータ９の切替手段６３が故障してＯＦＦ状態に切り替えられなくても、サーモスタット４５が作動して加熱ヒータ９の駆動を停止させる温水温度まで確実に昇温する所定時間が経過してから排水弁１３を開放するため、貯水部６が空焚きで高温の状態に晒され続けることがなく、ミスト発生装置を構成する各部位への熱による影響を最小限にすることができる。【選択図】  図１６
2015142670.tif 000002
【特許請求の範囲】
【請求項１】
水を貯水する貯水部と、該貯水部に設置されＯＮ／ＯＦＦ状態を切り替えることで温水温度を変化させる加熱ヒータと、前記貯水部に設置され所定水位以上を検出したらＯＮ信号を出力する水位検出手段と、前記貯水部に接続され前記水位検出手段がＯＮ信号を出力するまで弁を開放する給水弁を備えた給水管と、前記貯水部に接続され弁を開閉することで排水有無を切り替える排水弁を備えた排水管と、前記貯水部に設置され所定値以上の温水温度を検出したら前記加熱ヒータの電源を遮断するように作動するサーモスタットと、前記貯水部内の水を破砕して微細水滴とマイナスイオンとを含んだ加湿空気を発生させるミスト発生部と、該ミスト発生部で発生した微細水滴とマイナスイオンとを含んだ加湿空気を送風する送風ファンと、該送風ファンにより前記ミスト発生部で発生させた加湿空気を室内に送風する運転の停止信号が出力されたら少なくとも前記加熱ヒータをＯＦＦ状態に切り替えて前記排水弁を開放する制御部とを備え、前記制御部は、前記運転の停止信号が出力されてから所定時間経過した後に前記排水弁を開放することを特徴としたミスト発生装置。
【請求項２】
前記所定時間は、前記加熱ヒータが通電し続けた場合に前記貯水部に貯められた水が前記サーモスタットが作動する所定値以上の温水温度まで昇温されるのに要する時間に基づいて予め設定されていることを特徴とする請求項１記載のミスト発生装置。
【請求項３】
前記ミスト発生部は、前記貯水部内に下端を水没させ、回転により水を汲み上げて飛散させる筒状の回転体と、該回転体を回転駆動させるミストモータと、前記回転体の回転により飛散された水が衝突する衝突体とで構成されていることを特徴とする請求項１又は２に記載のミスト発生装置。
【発明の詳細な説明】
【技術分野】
【０００１】
この発明は、貯水部に貯留した温水を破砕し微細水滴及びマイナスイオンを生成して、それを室内に供給するミスト発生装置に関するものである。
【背景技術】
【０００２】
従来、この種のものにおいて、サウナ室内に設置された貯水部内の水をミスト発生部で破砕して微細化しマイナスイオンと共に送風ファンを回転駆動させることでサウナ室内へ供給して、サウナ室内の温度を設定温度に保つよう加熱ヒータのＯＮ／ＯＦＦ状態を適宜切り替える通常運転を制御するものがあり、通常運転中に運転スイッチがＯＦＦ操作されたか、貯水部内の温水温度やサウナ室内の室温が高温となって異常が発生したと判断したら、運転の停止信号を出力してから所定の動作を行った後、加熱ヒータをＯＦＦ状態に切り替え排水弁を開放して貯水部の水を排水するミスト発生装置があった。（例えば、特許文献１）
【先行技術文献】
【特許文献】
【０００３】
【特許文献１】特開２０１０−２２６８６号公報
【発明の概要】
【発明が解決しようとする課題】
【０００４】
しかし、この従来のものでは、運転の停止信号を出力した後に加熱ヒータのＯＦＦ状態への切り替えと排水弁の開放とを同時に行っていたので、運転の停止時に加熱ヒータが故障してＯＮ状態から切り替わらないと、加熱ヒータがＯＮ状態のまま排水弁を開放して貯水部の水を排水することが考えられ、サーモスタットが作動して加熱ヒータの駆動を停止させるまで貯水部が空焚きで高温の状態に晒される虞があることから改善の余地があった。
【課題を解決するための手段】
【０００５】
上記課題を解決するために本発明の請求項１では、水を貯水する貯水部と、該貯水部に設置されＯＮ／ＯＦＦ状態を切り替えることで温水温度を変化させる加熱ヒータと、前記貯水部に設置され所定水位以上を検出したらＯＮ信号を出力する水位検出手段と、前記貯水部に接続され前記水位検出手段がＯＮ信号を出力するまで弁を開放する給水弁を備えた給水管と、前記貯水部に接続され弁を開閉することで排水有無を切り替える排水弁を備えた排水管と、前記貯水部に設置され所定値以上の温水温度を検出したら前記加熱ヒータの電源を遮断するように作動するサーモスタットと、前記貯水部内の水を破砕して微細水滴とマイナスイオンとを含んだ加湿空気を発生させるミスト発生部と、該ミスト発生部で発生した微細水滴とマイナスイオンとを含んだ加湿空気を送風する送風ファンと、該送風ファンにより前記ミスト発生部で発生させた加湿空気を室内に送風する運転の停止信号が出力されたら少なくとも前記加熱ヒータをＯＦＦ状態に切り替えて前記排水弁を開放する制御部とを備え、前記制御部は、前記運転の停止信号が出力されてから所定時間経過した後に前記排水弁を開放することを特徴としている。
【０００６】
また、請求項２では、前記所定時間は、前記加熱ヒータが通電し続けた場合に前記貯水部に貯められた水が前記サーモスタットが作動する所定値以上の温水温度まで昇温されるのに要する時間に基づいて予め設定されていることを特徴としている。
【０００７】
また、請求項３では、前記ミスト発生部は、前記貯水部内に下端を水没させ、回転により水を汲み上げて飛散させる筒状の回転体と、該回転体を回転駆動させるミストモータと、前記回転体の回転により飛散された水が衝突する衝突体とで構成されていることを特徴としている。
【発明の効果】
【０００８】
この発明によれば、運転の停止信号が出力されてから所定時間経過した後に排水弁を開放するので、加熱ヒータをＯＦＦ状態に切り替えてから所定時間が経過した後に排水弁を開放するため、貯水部が空焚きで高温状態に晒されることを防止できる。
【０００９】
また、運転の停止信号が出力された後、加熱ヒータが通電し続けた場合に前記貯水部に貯められた水が前記サーモスタットが作動する所定値以上の温水温度まで昇温されるのに要する時間に基づいて予め設定されている所定時間が経過した後に排水弁を開放するので、運転中に加熱ヒータが故障してＯＮ状態から切り替わらない状態になっても、サーモスタットが作動して加熱ヒータの駆動を確実に停止させてから貯水部内の水を排水するため、貯水部が空焚きで高温の状態に晒されることを防止できる。
【００１０】
また、ミスト発生部は、貯水部内に下端を水没させ、回転により水を汲み上げて飛散させる筒状の回転体と、該回転体を回転駆動させるミストモータと、回転体の回転により飛散された水が衝突する衝突体とで構成されているので、貯水部内の水を回転体で汲み上げて衝突体に衝突させる簡易な構成によって微細水滴とマイナスイオンを多量に発生させることができるため、組付けが容易であり低コストでミスト発生部を構成できる。
【図面の簡単な説明】
【００１１】
【図１】この発明の一実施形態のミスト発生装置の概略構成図。
【図２】同一実施形態のミスト発生装置の横断面図。
【図３】同一実施形態のミスト発生装置の縦断面図。
【図４】同一実施形態のミスト発生装置の水平断面図。
【図５】同一実施形態のミスト発生装置の外観図。
【図６】同一実施形態の要部電気回路ブロック図
【図７】同一実施形態の加熱ヒータ周辺の電気回路を説明する図
【図８】同一実施形態の一連の動作を示すフローチャート。
【図９】同一実施形態のクリーニングモードの作動を示すフローチャート。
【図１０】同一実施形態の除菌モードＡの作動を示すフローチャート。
【図１１】同一実施形態の立ち上げモードの作動を示すフローチャート。
【図１２】同一実施形態の安定モードの作動を示すフローチャート。
【図１３】同一実施形態の除菌モードＢの作動を示すフローチャート。
【図１４】同一実施形態の乾燥モードの作動を示すフローチャート。
【図１５】同一実施形態の運転スイッチＯＦＦ操作時の動作を示す状態遷移図。
【図１６】同一実施形態の運転停止モードの作動を示すフローチャート
【発明を実施するための形態】
【００１２】
次に、本発明のミスト発生装置の一実施形態を図面に基づき説明する。
図１において、１は低温のサウナ室２のベンチ３下に備えられた微細水滴及びマイナスイオン発生器で、サウナ室２内の上部まで延びた吸引ダクト４を介して該サウナ室２内の空気を吸引し、塵や細菌を除去した後に、加熱昇温した微細水滴及びマイナスイオンをベンチ３下方に形成した放出口５からサウナ室２に供給して、順次これを繰り返してサウナ室２の空気を循環させることで、サウナ室２を使用室温３８〜４２℃、相対湿度９０％以上の低温高湿サウナの使用雰囲気とするものである。
【００１３】
次に、前記微細水滴及びマイナスイオン発生器１について、図２〜４に基づいて説明する。
６は水を一定量貯留する貯水部、７は貯水部６の一側壁に接続され貯水部６に給水する給水管、８は給水管７の途中に設けられ給水管７の開閉を行う給水弁、９は貯水部６に貯められた水を加熱し、貯水部６の水面下で貯水部６底部近傍に単相２００Ｖ、２ＫＷで平面視Ｍ字状に水平に取り付けられてＵ字部１０を３箇所有した加熱ヒータ、１１は貯水部６の一側壁に設けたオーバーフロー管、１２は貯水部６の底部に接続され貯水部６に貯められた水または加熱ヒータ９に加熱された加熱水を排水する排水管、１３は排水管１２の途中に設けられ排水管１２の開閉を行う排水弁である。
【００１４】
１４は前記貯水部６内を処理室１５と分離室１６の２室に仕切る仕切壁で、下端を分離室１６側を屈曲し水面との間の連通路１７を水面近傍まで下げることにより、処理室１５から分離室１６へ向かう空気中の大粒のミスト（水滴）を水面にぶつけて落下させる気液分離器の役目も果たすようにしている。
【００１５】
前記処理室１５には、貯水部６の蓋体１８に設けた挿通穴１９に、防水カバー２０の凹部２１にミストモータ２２の下半分を収容して挿通し、ミストモータ２２と支軸２３とを連結し、下部を水没させ上方に向かって径が拡大した擂り鉢状の回転体２４が、加熱ヒータ９の給水管７から一番離れた方のＵ字部１０中に垂下して設けられ、この回転体２４は前記ミストモータ２２による駆動で回転し、その遠心力で加熱ヒータ９で加熱された貯水部６内の温水を回転体２４表面及びむしろ裏面に沿って吸い上げ、上端に形成した複数の細孔２５から周囲に飛散させるものである。
【００１６】
前記分離室１６には、仕切壁１４の下端を分離室１６下方に向かって傾斜屈曲させた第１の邪魔板２６と、この仕切壁１４と対向する側壁に、下方に向かって傾斜して取り付けた第２の邪魔板２７とで交互に突出させて、中央部に下部の連通路１７から上部の放出口５に向かう蛇行路２８が形成されているものである。
【００１７】
２９は前記回転体２４の外周に所定間隔を保持して位置し、該回転体２４と共に回転する円筒状の多孔体、３０は前記多孔体２９全周壁に形成した多数のスリットや金網やパンチングメタル等から成る衝突体としての多孔部であり、前記ミストモータ２２、前記回転体２４及び前記多孔部３０でミスト発生部が構成されている。
【００１８】
前記ミスト発生部を構成するミストモータ２２を駆動させ、回転体２４を回転させたことで発生する遠心力で貯水部６内の水を汲み上げると共に空気を飛散させ、多孔部３０を通過した水滴が破砕されることで、水の粒子を微細化してナノメートル（ｎｍ）サイズのミストが生成すると共に、水の粒子の微細化によるレナード効果でマイナスイオンを多量に発生させるものである。
【００１９】
３１は前記多孔体２９の外周に所定の間隔を空けて多孔体２９を覆うように配置された楕円形状の空気案内筒で、円筒状の多孔体２９との間には一対の大流通路３２、３２と一対の小流通路３３、３３とが形成されるように、処理室１５の上方を塞ぐ中蓋３４に設けられており、分離室１６の上部で該分離室１６と放出口５とを連通する位置に備えられたクロスフローファンから成る送風ファン３５の駆動で、吸引ダクト４を介し蓋体１８と中蓋３４との間の給気口３６から吸引されたサウナ室２内の空気を、一側壁に吸引ダクト４が接続される給気口３６を有し蓋体１８と中蓋３４との間の空間で形成される給気室３７に流入させ、処理室１５上部の給気室３７から処理室１５に向かって回転体２４の上方から空気案内筒３１内に流入させることで、水の粒子の破砕回数を増やすと共に、空気のマイナス帯電も増加させ結果としてナノメートルサイズの微細水滴及びマイナスイオンを多量に発生させることができるものであり、例えば、マイナスイオンではサウナ室２の中央部中間位置で約７０００個／ＣＣを検出するものである。なお、前記送風ファン３５は回転数可変のクロスフローファンであり、回転数の高い強運転と回転数の低い弱運転とを行うことができるものである。
【００２０】
前記空気案内筒３１には、その内周縁に内方に突出したフランジ部３８が設けられ、このフランジ部３８は、回転体２４の回転による遠心力により水が貯水部６から汲み上げられ多孔体２９を介して飛散し空気案内筒３１を跳ね返った水が、意図しない箇所、例えば、蓋体１８に固定されたミストモータ２２と支軸２３との接続部近傍や、給気室３７内に飛散するのを防止するために、回転体２４の上面よりも上方の高さ位置に設けられているものである。
【００２１】
３９は貯水部６内の底部に備えられ貯水部６内の水または温水があるときに検出信号を出力する水位検出手段であり、前記水位検出手段３９は、２つのフロートスイッチ４０、４１で構成されている。
【００２２】
ここで、フロートスイッチ４０は加熱ヒータ９が水面上に露出する前の低水位の時にＯＦＦ信号を出力し、低水位の状態から水位が上昇したらＯＮ信号を出力するものであり、フロートスイッチ４１はフロートスイッチ４０がＯＮ信号の水位ではＯＦＦ信号を出力し、貯水部６内の水位が更に高くなって所定水位以上を検出したらＯＮ信号を出力する。
【００２３】
４２は前記２つのフロートスイッチ４０、４１を貯水部６の水面変動の影響を受けないように保護する断面コ字状の保護枠で、正面及び両側方を水面上まで突出させた枠体とし、貯水部６の一側壁とで２つのフロートスイッチ４０、４１を囲ったものであり、上面で２つのフロートスイッチ４０、４１を垂下して固定している。
【００２４】
４３は吸引ダクト４と共に給気経路を構成する給気口３６に取り付けられたＵ字状の、１００Ｖ、３４０Ｗの空気ヒータで、給気口３６の側壁から突出し該側壁に対して上方をやや後側に寝かせて傾斜させた状態にし、Ｕ字状のヒータ部分が重ならずに小さな面でサウナ室２内からの送風空気と効率良く接するよう配置しサウナ室２内からの空気を加熱するものであり、ミスト発生装置の運転開始時に送風ファン３５を駆動させると共に、空気ヒータ４３に通電してサウナ室２を循環させる空気を加熱し、サウナ室２の雰囲気温度を上昇させて、立ち上がり時間の短縮を図るものであり、さらに、ミスト発生装置の運転終了後には送風ファン３５を駆動すると共に空気ヒータ４３に通電させ、温風によってサウナ室２内を乾燥させ、衛生状態の良好を保つようにしたものである。
【００２５】
４４は貯水部６の下部外壁で所定水位に設けられ貯水部６内の貯水温度を検出する貯水温度センサ、４５は同じく貯水部６の下部外壁で所定水位に設けられたサーモスタットであり、前記サーモスタット４５は貯水部６が異常過熱状態になった時、加熱ヒータ９と電源とを接続する配線を断線して安全を確保するものである。
【００２６】
なお、前記サーモスタット４５は貯水部６が異常過熱状態になったことを素早くかつ確実に検出可能な位置に設置されることが望ましく、フロートスイッチ４０がＯＦＦ信号を出力する低水位の高さ位置となる貯水部６の側壁に設置されるのが好ましいものである。
【００２７】
また、図１において、４６はサウナ室２内の上部の取り付けられサウナ室２内の室内温度を検出する室温センサである。４７はサウナ室２を換気する換気扇、４８はサウナ室２への出入り用のドアで、４９はドア４８上部に設けられた覗き窓、５０はドア４８下部に設けられサウナ室２外からサウナ室２内に空気を取り込む空気取入口で、この空気取入口５０は、換気扇４７が駆動すると開いてサウナ室２外からサウナ室２内に空気を供給する構造となっている。また、５１は緊急スイッチで、サウナ室２内で入浴者であるユーザに異常が発生した場合に、ユーザによりこの緊急スイッチ５１が操作されると、ブザーを鳴らす等によってサウナ室２内で異常が発生したことをサウナ室２外に報知し、排水弁１３を開弁して貯水部６内の温水を排水させると共に、換気扇４７を作動させることで、サウナ室２内の温度及び湿度を低下させてサウナ室２内を平常状態に戻す動作が為されるものである。
【００２８】
次に、図５で示すように、５２はこのミスト発生装置を遠隔操作するリモコンで、該リモコン５２は、サウナ室２内の室内設定温度を表示する室内設定温度表示部５３と、室温センサ４６の検出するサウナ室２内の温度を表示する室内温度表示部５４と、サウナ室２内の設定温度、例えば３８℃〜４２℃を１℃刻みで設定する室温設定スイッチ５５と、ミスト発生装置の運転開始及び停止を指示する運転スイッチ５６と、運転スイッチ５６のＯＮ／ＯＦＦを表示する運転ランプ５７と、換気扇４７を駆動させサウナ室２内の換気運転等を行わせる換気スイッチ５８と、換気スイッチ５８のＯＮ／ＯＦＦを表示する換気ランプ５９と、サウナ室２内が室温設定スイッチ５５で設定した設定温度に達したら点灯し、サウナ室２への入室許可を報知する入浴ランプ６０と、前記室温設定スイッチ５５で設定したサウナ室２内の設定温度等を音声で報知するスピーカ６１とが備えられている。
【００２９】
次に、図６で示す要部電気回路のブロック図を説明すれば、６２は記憶、演算、時間カウント等の機能を有し、このミスト発生装置を制御する制御部で、制御部６２と前記リモコン５２とは無線または有線により通信可能に接続されているものであり、制御部６２の入力側には、フロートスイッチ４０、４１と、貯水温度センサ４４と、サーモスタット４５と、室温センサ４６と、緊急スイッチ５１とが接続されており、出力側には、給水弁８と、加熱ヒータ９と、排水弁１３と、ミストモータ２２と、送風ファン３５と、空気ヒータ４３と、換気扇４７が接続されており、前記制御部６２は、ミスト発生装置の運転状態に応じて加熱ヒータ９への通電のＯＮ／ＯＦＦ状態を適宜切り替える切替手段６３を備えている。
【００３０】
次に、図７で示す加熱ヒータ９周辺の電気回路の図について説明すれば、加熱ヒータ９と制御部６２とを接続する配線の間にはＳＳＲ（ソリッドステートリレー）で構成される切替手段６２が設置されており、制御部６２から加熱ヒータ９に対して通電ＯＮ／ＯＦＦ状態の切り替え指示が出力されたら、切替手段６２が加熱ヒータ９の通電ＯＮ／ＯＦＦ状態を切り替えることで、貯水部６内を適切な温水温度に保つことができる。また、加熱ヒータ９と単相２００Ｖの電源とを接続する配線の間にはサーモスタット４５が設置されており、貯水部６の温水温度が所定値以上となったらサーモスタット４５が作動して加熱ヒータ９と電源との間を接続する配線を切断することで、ミスト発生装置を構成する各部位の熱による影響について最小限に抑えることができる。
【００３１】
次にこのミスト発生装置の一実施形態の作動について図８から図１５のフローチャートを用いて説明する。
まず、サウナ室２の側壁に備えられたリモコン５２の室温設定スイッチ５５によりサウナ室２の設定温度（３８〜４２℃）を設定し、運転スイッチ５６をＯＮ操作すると運転ランプ５７が点灯してミスト発生装置の運転が開始され、ミスト発生装置の準備運転であるクリーニングモードが開始される（ステップＳ１００）。このクリーニングモードでは、貯水部６内の水または温水を排水する排水管１２の開閉を行う排水弁１３を開弁すると共に、貯水部６内に給水する給水管７を開閉する給水弁８を開弁して、貯水部６内に給水を行って、貯水部６内に水を貯める前に貯水部６内の底に残ったホコリ、塵、菌などを洗浄して排水するものである。
【００３２】
（クリーニングモードの説明）
次に、上記のクリーニングモードの作動について図９のフローチャートを用いて説明すると、制御部６２は、排水弁１３を開弁させ（ステップＳ１０１）、低水位検出用のフロートスイッチ４０がＯＦＦ信号を出力したかを判断し（ステップＳ１０２）、フロートスイッチ４０がＯＦＦ信号を出力していないと判断している間は前記ステップＳ１０２の処理を繰り返し、フロートスイッチ４０がＯＦＦ信号を出力したと判断すると、一定時間遅延させた後に給水弁８を開弁させる（ステップＳ１０３）。前記ステップＳ１０３で給水弁８を開弁させ貯水部６内に給水を開始すると、続いて、所定時間が経過したか否かを判断し（ステップＳ１０４）、所定時間が経過したと判断すると、排水弁１３を閉弁させて（ステップＳ１０５）、クリーニングモードを終了するものである。
【００３３】
以上説明したクリーニングモードにおいて、制御部６２は、排水弁１３を開弁すると共に給水弁８を開弁して、貯水部６に給水を行って貯水部６を洗浄するようにしたので、排水弁１３が開弁されたまま給水され、貯水部６に水を貯める前に貯水部６内の底に残ったホコリ、塵、菌などを確実に洗浄して排水することができ、通常運転が開始されユーザがサウナ入浴を行う時には貯水部６内にはきれいな水が貯められているので、安心、安全なサウナ入浴を行うことができるものである。
【００３４】
また、前記ステップＳ１０２で、制御部６２は、フロートスイッチ４０がＯＦＦ信号を出力していないと判断した場合、すなわち、低水位検出用のフロートセンサ４０からの検出信号を受ける場合は、前記ステップＳ１０２の処理を繰り返し、給水弁８を開弁せず貯水部６に給水しないようにしするので、前回の通常運転停止後に何らかの理由により排水が行われず前回使用した汚れた水がそのまま貯水部６内に貯水されていたときには、貯水部６内の汚れた水を確実に排水することができ、また、フロートスイッチ４０がＯＦＦ信号を出力したと判断した場合、すなわち、フロートスイッチ４０からの検出信号を受けなくなったら、一定時間遅延させた後に給水弁８を開弁するので、貯水部６内に貯水されていた水が完全に排水されてから給水により貯水部６の底に残ったホコリ、塵、菌などを確実に洗浄して排水することができ、通常運転が開始されユーザがサウナ入浴を行う時には貯水部６には清潔な水が貯められているので、安心、安全なサウナ入浴を行うことができるものである。
【００３５】
前記ステップＳ１００のクリーニングモードが終了すると、続いて除菌モードＡ（ステップＳ２００）に遷移し、この除菌モードＡでは、貯水部６内底部近傍に配設された加熱ヒータ９の通電を切替手段６３でＯＮ状態にして貯水部６内の水を殺菌可能な温度まで加熱すると共に、回転体２４を回転させるミストモータ２２を駆動させて、貯水部６内に貯められた水を殺菌すると共に、貯水部６から加熱された温水を汲み上げる回転体２４や、回転体２４の外周に配置され回転体２４と共に回転する多孔体２９や、多孔体２９を覆うように配置された空気案内筒３１に付着したホコリ、塵、菌等を洗い流して清潔な状態にし回転体２４、多孔体２９、空気案内筒３１を除菌・殺菌するものである。
【００３６】
（除菌モードＡの説明）
次に、上記の除菌モードＡの作動について図１０のフローチャートを用いて説明すると、制御部６２は、低水位検出用のフロートスイッチ４０がＯＮ信号を出力したかを判断し（ステップＳ２０１）、フロートスイッチ４０がＯＮ信号を出力したと判断すると、貯水部６内の水を加熱する加熱ヒータ９の通電を切替手段６３でＯＮ状態にすると共に、回転体２４を回転させるミストモータ２２の駆動を開始させ（ステップＳ２０２）、貯水温度センサ４４で検出する貯水部６内の温水温度が殺菌可能な所定値（例えば６０℃）以上か否かを判断する（ステップＳ２０３）。
【００３７】
前記ステップＳ２０３で、貯水部６内の温水温度が６０℃以上であると判断したら、制御部６２は、加熱ヒータ９への通電を切替手段６３でＯＦＦ状態にすると同時に貯水部６内の水（温水）を加熱殺菌する所定時間、つまり除菌時間のカウントを開始させ（ステップＳ２０４）、貯水温度センサ４４で検出する貯水部６内の温水温度が５８℃以下になったら、再度加熱ヒータ９の通電をＯＮ状態にし、貯水温度センサ４４で検出する貯水部６内の温水温度が６０℃以上になったら、再度加熱ヒータ９への通電をＯＦＦ状態にするというように、貯水部６の温水温度を殺菌可能温度に保つように切替手段６３で加熱ヒータ９のＯＮ／ＯＦＦ状態を切り替え（ステップＳ２０５）、除菌時間、例えば１分間のカウントが終了するまで前記ステップＳ２０５を繰り返す（ステップＳ２０６）。そして、除菌時間のカウントが終了したと判断すれば（ステップＳ２０６でＹＥＳ）、加熱ヒータ９の通電をＯＦＦ状態にし（ステップＳ２０７）、除菌モードＡを終了しミスト発生装置の準備運転を終了するものである。
【００３８】
なお、前記ステップＳ２０３で貯水部６内の温水温度が６０℃より低いと判断したら、制御部６２は、加熱ヒータ９への通電をＯＮ状態に切替手段６３で切り替えるよう信号を送信してから所定時間である３０分経過したか判断し（ステップＳ２０８）、加熱ヒータ９への通電をＯＮ状態に切り替えるよう信号を送信してから３０分経過したと判断したら、排水弁１３を開放して貯水部６内の水を排水し、切替手段６３が短絡故障しており加熱ヒータ９への通電のＯＮ／ＯＦＦ状態の切り替えが不可能である旨をスピーカ６１から音声で報知し（ステップＳ２０９）、ミスト発生装置の準備運転を終了して次のステップに進まないようにする。また、ステップＳ２０８で加熱ヒータ９への通電をＯＮ状態にしてから３０分経過していなければ（ステップＳ２０８でＮｏ）、ステップＳ２０３で貯水部６内の温水温度が６０℃以上かの判断を繰り返す。
【００３９】
また、前記ステップＳ２０１でフロートスイッチ４０がＯＮ信号を出力した後、給水が継続され高水位検出用のフロートスイッチ４１がＯＮ信号を出力したときには、制御部６２は給水弁８を閉弁させて給水を終了するものであり、制御部６２は水位検出手段３９（フロートスイッチ４０、４１）からの検出信号に基づき、給水弁８を制御して給水を行い、貯水部６を所定水位範囲内に保持するようにするものである。
【００４０】
以上説明した除菌モードＡにおいて、加熱ヒータ９に通電させ貯水部６内の水を殺菌可能な温度まで加熱して所定時間その温度を保つと共に、回転体２４を回転させるミストモータ２２を駆動させることで、前回のミスト発生装置の使用後に、万一、貯水部６内や回転体２４、多孔体２９、空気案内筒３１に菌が付着したままミスト発生装置が停止状態になったとしても、回転体２４の回転により貯水部６内に貯められた温水が攪拌されて、貯水部６内の温水温度が均一に加熱されるので、貯水部６内の温水をまんべんなく加熱殺菌することができると共に、貯水部６の温水が接する貯水部６内壁も加熱殺菌することができ、さらに、回転体２４が回転することで、殺菌可能な温度まで加熱された貯水部６内の温水が、水没している回転体２４下端から回転体２４表面及び裏面から遠心力で、その面に沿って上昇し、回転体２４上端の複数の細孔２５から外周に向かって飛散され、汲み上げられた温水の一部は回転体２４と同時に回転している多孔体２９にぶつかり、又他の温水の一部は多孔部３０を通り抜けて、多孔体２９外周の空気案内筒３１の内壁にぶつかるので、回転体２４、多孔体２９、空気案内筒３１に付着したホコリ、塵、菌等を洗い流して清潔な状態にすることができると共に、回転体２４、多孔体２９、空気案内筒３１を除菌・殺菌することができ、サウナ入浴の直前に加熱殺菌された貯水部６内壁、回転体２４、多孔体２９、空気案内筒３１、及び貯水部６内のきれいな温水を、通常運転に使用することができ、ユーザーは安心、安全なサウナ入浴を行うことができるものである。
【００４１】
また、加熱ヒータ９への通電を切替手段６３でＯＮ状態にしてから３０分経過しても貯水部６内の温水温度が６０℃以上にならなければ、切替手段６３が短絡故障しており加熱ヒータ９への通電ＯＮ／ＯＦＦ状態の切り替えができない旨を報知するので、切替手段６３が故障したことをユーザーが確実に知ることができるため使い勝手が向上する。
【００４２】
前記ステップＳ２００の除菌モードＡが終了しミスト発生装置の準備運転を終了すると、続いてミスト発生装置の通常運転である立ち上げモード（ステップＳ３００）に遷移するものであり、この立ち上げモードでは、送風ファン３５を強運転に設定し送風ファン３５の駆動を開始させると共に、給気口３６に取り付けられた空気ヒータ４３を通電させ、さらに、貯水部６内に貯水されている温水温度を、室温設定スイッチ５５で設定した設定温度よりも高い温度に保つよう加熱ヒータ９の通電ＯＮ／ＯＦＦ状態を切替手段６３で切り替えることで、サウナ室２内の空気を空気ヒータ４３により加熱し、微細水滴及びマイナスイオン発生器１にて、設定温度よりも高い温度に加熱昇温された貯水部６内の温水を破砕して生成された微細水滴及びマイナスイオンを、送風ファン３５により放出口５からサウナ室２に供給して、順次これを繰り返してサウナ室２の空気を循環させて、サウナ室２内の立ち上げを早急に行うものである。
【００４３】
（立ち上げモードの説明）
次に、上記の立ち上げモードの作動について図１１フローチャートを用いて説明すると、制御部６２は、送風ファン３５を強運転に設定し送風ファン３５の駆動を開始させると共に空気ヒータ４３を通電させ（ステップＳ３０１）、貯水温度センサ４４で検出する貯水部６内の温水温度が４６℃以下になったら、加熱ヒータ９の通電をＯＮ状態に切り替え、貯水温度センサ４４で検出する貯水部６内の温水温度が４８℃以上になったら、加熱ヒータ９への通電をＯＦＦ状態に切り替えるというように、貯水部６の温水温度を設定温度より所定温度高い温度に保つように加熱ヒータ９への通電ＯＮ／ＯＦＦ状態を切替手段６３で切り替えて（ステップＳ３０２）、サウナ室２の上部に設けた室温センサ４６の検出する検出温度が、設定温度に達するまで前記ステップＳ３０２を繰り返す（ステップＳ３０３）。そして、設定温度に達したと判断したら（ステップＳ３０３でＹＥＳ）、リモコン５２の入浴ランプ６０を点灯させると共に、サウナ室２が設定温度で相対湿度９０％以上の低温サウナの使用雰囲気となり入室可能となった旨をスピーカ６１で報知し（ステップＳ３０４）、立ち上げモードを終了するものである。
【００４４】
なお、この立ち上げモード中に貯水部６内の温水が減少した場合であっても、制御部６２は水位検出手段３９（フロートスイッチ４０、４１）からの検出信号に基づき、給水弁８の開閉を制御することで貯水部６を所定水位範囲内に保持している。
【００４５】
以上説明した立ち上げモードにおいて、送風ファン３５を強運転となる所定の回転数に設定して送風ファン３５の駆動を開始させると共に、給気口３６に取り付けられた空気ヒータ４３を通電させ、さらに、貯水部６内に貯水されている温水温度を、室温設定スイッチ５５で設定した設定温度よりも高い温度に保つよう加熱ヒータ９への通電ＯＮ／ＯＦＦ状態を切替手段６３で切り替えることで、送風ファン３５によって循環されるサウナ室２内の空気を、吸引ダクト４を介してサウナ室２内の空気を吸引して、まず空気ヒータ４３により加熱昇温させ、次に、この加熱昇温させた空気に、設定温度よりも所定温度高い温度に加熱昇温された貯水部６内の温水を破砕して生成された微細水滴及びマイナスイオンをのせて、設定温度よりも高い温度の加湿空気を送風ファン３５の強運転により放出口５からサウナ室２に供給するので、サウナ室２内の空気が十分に攪拌されてサウナ室２内を均一に急速に昇温することができ、また、送風ファン３５の強運転によりサウナ室２内の空気を素早く循環させることを繰り返すことで、サウナ室２内について設定温度で低温の状態が形成され入室可能になるまでの立ち上げを早急に行うことができるものである。
【００４６】
また、この立ち上げモードで、回転体２４が回転することで、貯水部６に水没している回転体２４下端から回転体２４表面及び裏面から遠心力で、その面に沿って上昇し、回転体２４上端の複数の細孔２５から外周に向かって飛散され、汲み上げられた温水の一部は回転体２４と同時に回転している多孔体２９にぶつかって破砕され微細水滴となり、この微細水滴及び他の温水の一部は多孔部３０を通り抜けて、多孔体２９外周の空気案内筒３１の内壁にぶつかってさらに破砕されて微細水滴となり、ナノメートルサイズの微細水滴及び大粒の水滴を含むミストが生成されると共に、レナード効果により微細水滴はマイナスに帯電され周りの空気もマイナスに帯電されてマイナスイオンを発生させることができるものである。
【００４７】
また、送風ファン３５の駆動で給気口３６からは、吸引ダクト４を介してサウナ室２内の空気が流入し、回転中の回転体２４上方から空気案内筒３１に案内されて処理室１５内へと流れる。この時、円筒状の多孔体２９と楕円形状の空気案内筒３１との間には、一対の大流通路３２、３２と一対の小流通路３３、３３が形成されており、ここを空気が流通することで、ベルヌーイの定理より圧力差が生じて圧力が高い大流通路３２、３２側から圧力が低い小流通路３３、３３側への空気の流れが発生して乱流となり、大粒のミストは容易に落下して微細水滴だけが存在することとなり、マイナスに帯電した微細水滴である水粒子に多くの空気が接触することで、マイナスイオンも大量に得ることができ、しかもこの時、空気中に含まれている塵や細菌は微細水滴以外の大粒の水滴に囲まれて、貯水部６の温水中に落下し、そのまま水中に止まることで、空気清浄も同時に行われるもので、この空気清浄も空気の乱流によって良好に行われるものである。
【００４８】
また、加熱昇温された貯水部６の温水を処理室１５内で破砕し、生成されたミスト及びマイナスイオンを含む空気は、仕切壁１４の下の連通路１７を通過する下向きの流れで、大粒の水滴は自重で水中に落下すると共に、続く分離室１６を上昇する過程で残った微細水滴は、先ず仕切壁１４の下端の第１の邪魔板２６にぶつかり大粒の水滴に成長して落下し、次に蛇行路２８を流通しながらも落下し、第２の邪魔板２７にもぶつかって最後の大粒の水滴に成長して落下し、再び蛇行路２８を流通して、最終的にはナノメートルサイズの微細水滴が送風ファン３５を通って放出口５からサウナ室２内に放出され、これによって、大粒の水滴の放出が確実に阻止されナノメートルサイズの微細水滴とマイナスに帯電した空気によるマイナスイオンのみが、放出口５から放出されることとなり、床や壁が塗れる心配がなく安心して使用できると共に、微細水滴とマイナスイオンがいっぱいの良好なサウナ雰囲気を形成することができるものである。
【００４９】
前記ステップＳ３００の立ち上げモードが終了すると、続いて安定モード（ステップＳ４００）に遷移するものであり、この安定モードでは、加熱ヒータ９のＯＮ／ＯＦＦ状態を貯水温度センサ４４で検出する貯水部６の温水温度に基づく制御から、室温センサ４６で検出するサウナ室２内の室内温度に基づく制御に切り換えることで、設定温度での安定した快適なサウナ入浴を行えるようにするものであり、さらに、送風ファン３５を強運転から弱運転に切り換えることで、サウナ室２内の騒音を抑えてユーザが快適なサウナ入浴を行えるようにするものである。
【００５０】
（安定モードの説明）
次に、上記の安定モードの作動について図１２のフローチャートを用いて説明すると、制御部６２は、空気ヒータ４３への通電をＯＦＦにすると共に送風ファン３５を弱運転に変更して（ステップＳ４０１）、連続運転時間である予め設定された所定時間（例えば６０分）のカウントを開始する（ステップＳ４０２）。ここで、連続運転時間はサウナ室２内が設定温度に達したときにカウントが開始されるものである。続いて、室温センサ４６で検出するサウナ室２内の温度が、設定温度−０．５℃以下になったら、加熱ヒータ９を通電ＯＮ状態にして、室温センサ４６で検出するサウナ室２内の温度が設定温度以上になったら、加熱ヒータ９を通電ＯＦＦ状態にすることで、サウナ室２内の温度を設定温度に保つように加熱ヒータ９の通電ＯＮ／ＯＦＦ状態を切替手段６３で切り替え（ステップＳ４０３）、温水温度を４０℃〜５０℃程度に保つ。
【００５１】
そして、前記連続運転開始から所定時間（例えば１０分）が経過したら、制御部６２は、換気扇４７に一定時間、例えば１０秒程度短時間通電し、換気扇４７を駆動させてサウナ室２内の換気を行い、１０秒経過したら換気扇４７をＯＦＦにし、再び１０分が経過したら換気扇４７に１０秒程度通電し駆動させてサウナ室２内の換気を行い、１０秒経過したら換気扇４７をＯＦＦにするというように換気扇４７を制御し（ステップＳ４０４）、連続運転時間のカウントが終了までは前記ステップＳ４０３及び前記ステップＳ４０４を繰り返す（ステップＳ４０５）。そして、連続運転時間のカウントが終了したと判断したら（ステップＳ４０５でＹＥＳ）、制御部６２は、スピーカ６１で連続運転時間が終了した旨を音声で報知し入浴ランプ６０及び運転ランプ５７を消灯すると共に、送風ファン３５を停止させ（ステップＳ４０６）、自動的に運転スイッチＯＦＦとなり、安定モードを終了し通常運転を終了するものである。
【００５２】
なお、この安定モード中に貯水部６内の温水が減少した場合であっても、制御部６２は水位検出手段３９（フロートスイッチ４０、４１）からの検出信号に基づき、給水弁８の開閉を制御することで貯水部６を所定水位範囲内に保持している。
【００５３】
以上説明した安定モードにおいて、加熱ヒータ９への通電ＯＮ／ＯＦＦ状態の切り替えを前記立ち上げモードの前記ステップＳ３０３のように貯水温度センサ４４で検出する貯水部６の温水温度に基づく制御から、前記ステップＳ４０４のように室温センサ４６で検出するサウナ室２内の室内温度を設定温度に保つような制御に切り換えることで、サウナ室２内が設定温度になるように加熱ヒータ９による貯水部６内の温水の加熱量を調整して、サウナ室２内に加温・加湿空気を供給するので、設定温度に対してズレの少ない安定したものとなり、快適なサウナ入浴を行うことができるものである。
【００５４】
また、前記ステップＳ４０１で送風ファン３５を強運転から弱運転に切り換えることで、ユーザがサウナ室２に入室する際には、サウナ室２内の騒音を抑えることができ、さらに、送風ファン３５の弱運転によりサウナ室２内の空気の循環を減らすことで、サウナ室２内の室温の変動を抑制することができ、その上、空気ヒータ４３の通電をＯＦＦ状態に気鋭変えてサウナ室２内の過熱を防止することができるので、サウナ室２内の温度が設定温度に対してズレの少ない安定したものとなり、快適なサウナ入浴を行うことができるものである。
【００５５】
また、前記ステップＳ４０５のように所定時間毎に短時間だけ換気扇４７を駆動させる制御を行うことで、密閉されたサウナ室２内にサウナ室２外から空気取入口５０を介して時折新鮮な空気を取り込むことができると共に、高湿度雰囲気のサウナ室２内での息苦しさを緩和することができ、さらに、サウナ室２内を発汗を促す低温高湿のサウナ雰囲気に保持、特に湿度を９０％以上に保持して、快適なサウナ入浴を十分行うことができるものである。
【００５６】
前記ステップＳ４００で安定モードが終了し通常運転が終了すると、続いてミスト発生装置の終了運転である除菌モードＢ（ステップＳ５００）に遷移するものであり、この除菌モードＢでは、通常運転で送風ファン３５を駆動させサウナ室２内の空気を循環させた結果、細菌などを取り込んだ貯水部６内の温水を、加熱ヒータ９により殺菌可能な温度まで加熱すると共に、回転体２４を回転させるミストモータ２２を駆動させることで、貯水部６内に貯められた温水を殺菌すると共に、その温水により貯水部６から加熱された温水を汲み上げる回転体２４や、回転体２４の外周に配置され回転体２４と共に回転する多孔体２９や、多孔体２９を覆うように配置された空気案内筒３１に付着したホコリ、塵、菌等を洗い流して清潔な状態にし、回転体２４、多孔体２９、空気案内筒３１を除菌・殺菌するものである。
【００５７】
（除菌モードＢの説明）
次に、上記の除菌モードＢの作動についてフローチャート図１３を用いて説明すると、制御部６２は、貯水温度センサ４４で検出する貯水部６内の温水温度が殺菌可能な所定温度（例えば６０℃以上）か否かを判断し（ステップＳ５０１）、貯水部６内の温水温度が６０℃以上であると判断したら、加熱ヒータ９への通電をＯＦＦ状態に切り替えると同時に貯水部６内の水（温水）を加熱殺菌する所定時間、つまり除菌時間のカウントを開始させ（ステップＳ５０２）、貯水温度センサ４４で検出する貯水部６内の温水温度が５８℃以下になったら加熱ヒータ９への通電をＯＮ状態に切り替え、貯水温度センサ４４で検出する貯水部６内の温水温度が６０℃以上になったら、加熱ヒータ９への通電をＯＦＦ状態に切り替えるというように、貯水部６の温水温度を殺菌可能温度に保つように加熱ヒータ９の通電ＯＮ／ＯＦＦ状態を切替手段６３で切り替えて（ステップＳ５０３）、除菌時間、例えば１分間のカウントが終了するまで前記ステップＳ５０３を繰り返す（ステップＳ５０４）。
【００５８】
そして、除菌時間のカウントが終了したと判断したら（ステップＳ５０４でＹＥＳ）、制御部６２は、切替手段６３で加熱ヒータ９の通電をＯＦＦ状態に切り替えると共に、ミストモータ２２の駆動を停止させ（ステップＳ５０５）、加熱ヒータ９とミストモータ２２との駆動を停止させてから所定時間である２０分が経過したか判断する（ステップＳ５０６）。除菌時間のカウントが終了してから２０分経過していれば排水弁１３を開放して除菌モードＢを終了し（ステップＳ５０７）、２０分経過していなければステップＳ５０６の判断を繰り返す。
【００５９】
以上説明した除菌モードＢにおいて、通常運転によりサウナ室２内の空気を循環させた結果、細菌などを取り込んだ貯水部６内の温水を、殺菌可能な温度まで加熱して所定時間その温度を保つと共に、回転体２４を回転させるミストモータ２２を駆動させることで、回転体２４の回転により貯水部６内に貯められた水が攪拌されて、貯水部６内の温水温度が均一に加熱されるので、貯水部６内の水を均一に加熱殺菌することができると共に、貯水部６の温水が接する貯水部６内壁も加熱殺菌することができ、さらに、回転体２４が回転することで、殺菌可能な温度まで加熱された貯水部６内の温水が水没している回転体２４下端から回転体２４表面及び裏面から遠心力でその面に沿って上昇し、回転体２４上端の複数の細孔２５から外周に向かって飛散され、汲み上げられた温水の一部は回転体２４と同時に回転している多孔体２９にぶつかり、又他の温水の一部は多孔部３０を通り抜けて、多孔体２９外周の空気案内筒３１の内壁にぶつかるので、回転体２４、多孔体２９、空気案内筒３１に付着したホコリ、塵、菌等を洗い流して清潔な状態にすることができると共に、回転体２４、多孔体２９、空気案内筒３１を除菌・殺菌することができ、加熱殺菌し終わった貯水部６内の温水を排水して、貯水部６内の清潔を保つことができるものである。
【００６０】
また、加熱ヒータ９とミストモータ２２との駆動を停止させてから所定時間である２０分が経過した後に排水弁１３を開放することで、加熱ヒータ９の切替手段６３が故障して通電ＯＮ状態から切り替わらなくても、排水弁１３を開放するまでの所定時間内に異常過熱状態と判断する所定値（例えば８０℃）を検出してサーモスタット４５が作動することで加熱ヒータ９と電源とを接続する配線を断線するので、貯水部６が空焚きで高温の状態に晒されることを防止できる。
【００６１】
ここで、前記ステップＳ５０５で加熱ヒータ９とミストモータ２２との駆動を停止させてから前記ステップＳ５０７で排水弁１３を開放するまでの前記ステップＳ５０６でカウントする所定時間について説明すると、フロートスイッチ４０がＯＮ信号を出力した水量で加熱ヒータ９をＯＮ状態にし続け、サーモスタット４５が作動して加熱ヒータ９の駆動を停止させるまでに必要となる時間を予め試験等で算出しておき、この算出された時間よりも長い時間を所定時間として設定することで、万一、切替手段６３が故障して加熱ヒータ９をＯＮ状態から切り替えられなくなっても、所定時間が経過するまでにサーモスタット４５が作動して加熱ヒータ９の駆動を確実に停止させてから排水弁１３を開放するため、貯水部６が空焚きで高温の状態に晒されることを確実に防止することができる。
【００６２】
前記ステップＳ５００の除菌モードＢが終了すると、続いて乾燥モード（ステップＳ６００）に遷移するものであり、この乾燥モードでは、送風ファン３５の駆動を開始させると共に、給気口３６に取り付けられた空気ヒータ４３を通電させ、さらに換気扇４７を駆動させることで、微細水滴及びマイナスイオン発生器１内や吸引ダクト４内及びサウナ室２内を乾燥させるものである。
【００６３】
（乾燥モードの説明）
次に、上記の乾燥モードの作動について図１４のフローチャートを用いて説明すると、制御部６２は、送風ファン３５を強運転に設定して送風ファン３５の駆動を開始させると共に空気ヒータ４３を通電させ、さらに換気扇４７を駆動させ（ステップＳ６０１）、換気ランプ５９が点灯し、予め設定した乾燥時間、例えば９０分間のカウントが終了したか否かを判断し（ステップＳ６０２）、乾燥時間が終了したと判断すると、送風ファン３５の駆動を停止させると共に空気ヒータ４３の通電をＯＦＦにし、さらに換気扇４７の駆動を停止させて（ステップＳ６０３）、換気ランプ５９が消灯して乾燥モードを終了しミスト発生装置の終了運転を終了してミスト発生装置は停止状態となるものである。なお、排水弁１３は開弁の状態のままミスト発生装置は停止状態となるものである。
【００６４】
以上説明した乾燥モードにおいて、送風ファン３５の駆動を開始させると共に、給気口３６に取り付けられた空気ヒータ４３を通電させ、さらに換気扇４７を駆動させることで、サウナ室２内の湿気を排出すると共に、空気ヒータ４３にて加熱した空気を微細水滴及びマイナスイオン発生器１内や吸引ダクト４内及びサウナ室２内を循環させて、微細水滴及びマイナスイオン発生器１内や吸引ダクト４内及びサウナ室２内の乾燥が行われるので、装置１内や吸引ダクト４内及びサウナ室２内でのカビの発生や菌等の繁殖を防止することができるものである。
【００６５】
また、前記ミスト発生装置の停止状態では排水弁１３のみ開弁した状態としているので、ミスト発生装置の停止状態では、貯水部６内に水が貯まっていることがなく、微細水滴及びマイナスイオン発生器１内を清潔な状態に保つことができるものである。
【００６６】
次に、上述した各モード中にユーザが手動で運転スイッチ５６を操作し前記ミスト発生装置の運転停止を指示した場合、すなわち運転スイッチ５６をＯＦＦ操作した場合の作動を図１５の状態遷移図を用いて説明する。上述のように通常は、前記サウナ運転が終了し、運転ランプ５７を消灯して自動的に運転スイッチ５６がＯＦＦになるのは安定モード終了時であり、安定モード終了後は前記終了運転の前記除菌モードＢに遷移するものである。しかし、前記クリーニングモード・前記除菌モードＡ・立ち上げモード中に、ユーザが手動で運転スイッチ５６をＯＦＦ操作したときも一律に除菌モードＢに移行してしまうと、加熱ヒータ９等の駆動部品への通電により電力を無駄に消費してしまうので、各モードに応じた適切な処理に遷移させることで、電力消費等の無駄を省こうとするものである。
【００６７】
ここで、前記クリーニングモード中にユーザにより運転スイッチ５６がＯＦＦ操作された場合は、運転ランプ５７を消灯して、図１４中のクリーニングモードから引かれた一点鎖線で示した矢印に従い、排水弁１３を開弁した停止状態に遷移する。これはクリーニングモードがミスト発生装置の使用を開始してから間もない状態なので、除菌モードＢや乾燥モードを行わずともすぐに停止状態に遷移しても何ら問題ないからであり、そうすることで、不必要な動作をすることなく、適切な処理に遷移して電力消費の無駄をなくすことができるものである。
【００６８】
また、前記除菌モードＡ中にユーザにより運転スイッチ５６がＯＦＦ操作された場合は、運転ランプ５７を消灯して、図１４中の除菌モードＡから引かれた一点鎖線で示した矢印に従い、自動排水弁１３を開弁した停止状態に遷移する。これは除菌モードＡが、給水された水や貯水部６内や回転体２４等を殺菌・除菌している状態であり、またサウナ室２内に微細水滴及びマイナスイオンを供給しておらずサウナ室２内を乾燥させる必要がないので、除菌モードＢや乾燥モードを行わずともすぐに停止状態に遷移しても何ら問題ないからであり、そうすることで、ミスト発生装置の清潔性を保ちつつ、不必要な動作をすることなく、適切な処理に遷移して電力消費の無駄をなくすことができるものである。
【００６９】
また、前記立ち上げモード中にユーザにより運転スイッチ５６がＯＦＦ操作された場合は、運転ランプ５７を消灯して、前記サウナ運転を停止して、図１５中の立ち上げモードから引かれた一点鎖線で示した矢印に従い、乾燥モードに遷移する。これは、立ち上げモードが除菌モードＡの次に遷移するモードであり、除菌モードＡにて除菌を行っているのでさらなる除菌の必要がなく、またサウナ室２内に微細水滴及びマイナスイオンを供給している状態によりサウナ室２内を乾燥させる必要があるため乾燥モードに遷移するものであり、そうすることで、ミスト発生装置の清潔性を保ちつつ不必要な動作をすることなく、適切な処理に遷移して電力消費の無駄をなくすことができるものである。
【００７０】
また、前記安定モード中であって連続運転時間終了前に運転スイッチ５６がＯＦＦ操作された場合は、運転ランプ５７を消灯しサウナ運転を停止して、図１５中の安定モードから引かれた一点鎖線で示した矢印に従い、除菌モードＢに遷移する。これは、サウナ運転開始から安定モードにまで達すると、貯水部６内の温水はサウナ運転に使用され汚れている可能性が高く除菌・殺菌の必要があり、またサウナ室２内に微細水滴及びマイナスイオンを供給している状態なのでサウナ室２内を乾燥させる必要があるので、除菌モードＢに遷移して、除菌モードＢ及び乾燥モードからなる前記終了運転を行わせるものであり、そうすることで、ミスト発生装置の清潔性を保ちつつ、不必要な動作をすることなく、適切な処理に遷移することができるものである。
【００７１】
また、前記安定モード中であって連続運転時間終了前に運転スイッチ５６がＯＦＦ操作された場合は、運転ランプ５７を消灯しサウナ運転を停止して、図１５中の安定モードから引かれた一点鎖線で示した矢印に従い、除菌モードＢに遷移するが、特殊な作動として、前記安定モード中であって連続運転時間終了前に運転スイッチ５６がＯＦＦ操作されてから予め設定された設定時間以内、例えば２０秒以内に運転スイッチ５６を操作し前記ミスト発生装置の運転開始を指示した場合、すなわち運転スイッチ５６を再びＯＮ操作した場合、図１５中の二点鎖線に示すように、安定モードに復帰することができる。そうすることで、ユーザが誤操作等により運転スイッチ５６をＯＦＦ操作した場合であっても、所定時間内に運転スイッチ５６をＯＮ操作すれば、安定モードから再開するので、ユーザの使用勝手を向上させることができると共に、再度サウナ室２がサウナ入浴を行える状態になるまで待つことなく継続して快適なサウナ入浴を行うことができるものである。
【００７２】
（運転停止モードの説明）
次に、運転スイッチ５６をＯＮ操作した後に運転の停止信号が出力されミスト発生装置の運転を停止する時の作動について図１５のフローチャートを用いて説明する。
まず、制御部６２は、ミストモータ２２や送風ファン３５の回転数が異常値であることや貯水温度センサ４４での検出値が異常値である等、ミスト発生装置で何らかの異常が発生したか判断して（ステップＳ７０１）、何らかの異常が発生していると判断したら異常の内容をスピーカ６１で報知し、加熱ヒータ９、ミストモータ２２及び送風ファン３５の駆動を停止させ（ステップＳ７０２）、異常が発生していないと判断したらステップＳ７０１でミスト発生装置で何らかの異常が発生したかの判断を繰り返す。
【００７３】
ステップＳ７０２の動作を行ったら、制御部６２は、加熱ヒータ９、ミストモータ２２及び送風ファン３５の駆動を停止させてから所定時間である２０分が経過したか判断し（ステップＳ７０３）、２０分経過していれば排水弁１３を開放して貯水部６内の水を排水し（ステップＳ７０４）、２０分経過していなければステップＳ７０３の判断を繰り返す。
【００７４】
以上説明した運転停止モードにおいて、ミスト発生装置の運転中に何らかの異常が発生して運転の停止信号が出力された時、加熱ヒータ９、ミストモータ２２及び送風ファン３５を停止させ、各部が停止してから所定時間である２０分が経過したら排水弁１３を開放して貯水部６内の水を排水するので、運転の停止信号が出力された時に切替手段６３が故障して加熱ヒータ９が通電ＯＮ状態から切り替わらない場合、貯水部６内の温水温度やサウナ室２内の室温が加熱ヒータ９の通電をＯＦＦ状態に切り替えるべき温度に達しても切り替わることなく貯水部６内の温水温度が昇温し続けるが、サーモスタット４５が作動して加熱ヒータ９の駆動を停止させた後に貯水部６内の水を排水するため、貯水部６が空焚きで高温の状態に晒される事態を防止することができる。
【００７５】
また、前記サーモスタット４５が作動して加熱ヒータ９と電源とを接続する配線が切断された後に運転スイッチ５６が操作されて運転が再開されると、加熱ヒータ９をＯＮ状態に切り替えようとしても配線が切断されていることからＯＮ状態に切り替わらず水が昇温しないので、前記ステップＳ２０９で３０分経過しても温水温度が６０℃以上にならず、切替手段６３が故障していると判断してスピーカ６１で報知するため、ユーザーが故障箇所を簡易に把握することが可能である。
【００７６】
以上のように、運転スイッチ５６を操作してミスト発生装置の運転を開始してから運転の停止信号が出力されたら、切替手段６３によって加熱ヒータ９等をＯＦＦ状態に切り替えてから所定時間経過した後に排水弁１３を開放するので、運転の停止信号が出力された時に加熱ヒータ９の切替手段６３が故障してＯＦＦ状態に切り替えられなくても、サーモスタット４５が作動して加熱ヒータ９の駆動を停止させる温水温度まで確実に昇温する所定時間が経過してから排水弁１３を開放するため、貯水部６が空焚きで高温の状態に晒され続けることがなく、ミスト発生装置を構成する各部位への熱による影響を最小限にすることができる。
【００７７】
また、前回の運転で切替手段６３が故障して加熱ヒータ９が通電ＯＮ状態から切り替わらなかった場合、次回の通常運転開始前に加熱ヒータ９を通電ＯＮ状態に切り替えるタイミングで温水温度が上昇しないことを貯水温度センサ４４での検出値から判断し、切替手段６３が故障している旨をスピーカ６１で報知するため、簡易に切替手段６３が故障していることをユーザーが知ることができ使い勝手が向上する。
【００７８】
また、本実施形態では運転の停止信号が出力されてから排水弁１３を開放するまでの所定時間を２０分として説明しているが、運転の停止信号が出力されてからサーモスタット４５が作動して加熱ヒータ９と電源とを接続する配線を切断する所定値に達することが可能な時間内であればよく、加熱ヒータ９の出力や貯水部６内の水量等によって適切な時間に変更するようにしてもよい。
【００７９】
また、本実施形態では加熱ヒータ９の切替手段６３をＳＳＲとして説明したが、これに限らず例えば、機械的に接点を開閉する電磁リレーを用いてもよく、接点を開閉する時の電圧や電流負荷等でリレーが溶着して加熱ヒータ９をＯＦＦ状態に切り替えられなくなっても、サーモスタット４５が作動して加熱ヒータ９の駆動を停止させる所定時間が経過するまで排水弁１３を閉止して貯水部６内の水を排水しないことで、貯水部６が空焚きで高温の状態に晒されることを確実に防止することができる。
【００８０】
また、本実施形態における構成や制御内容は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００８１】
６    貯水部
７    給水管
８    給水弁
９    加熱ヒータ
１２    排水管
１３    排水弁
２２    ミストモータ
２４    回転体
３０    多孔部（衝突体）
３５    送風ファン
３９    水位検出手段
４５    サーモスタット
６２    制御部
【図１】
2015142670.tif 000003
【図２】
2015142670.tif 000004
【図３】
2015142670.tif 000005
【図４】
2015142670.tif 000006
【図５】
2015142670.tif 000007
【図６】
2015142670.tif 000008
【図７】
2015142670.tif 000009
【図８】
2015142670.tif 000010
【図９】
2015142670.tif 000011
【図１０】
2015142670.tif 000012
【図１１】
2015142670.tif 000013
【図１２】
2015142670.tif 000014
【図１３】
2015142670.tif 000015
【図１４】
2015142670.tif 000016
【図１５】
2015142670.tif 000017
【図１６】
2015142670.tif 000018